(57)【要約】【課題】容易かつ確実に所望の照射角度に固定できるＬＥＤ照明器具を提供する。【解決手段】器具本体２０の開口面２１に取り付けられた透光パネル２５に対してＬＥＤ固定板３１を角度調整可能に取り付け、このＬＥＤ固定板３１にＬＥＤ３０を取り付けたので、ＬＥＤ固定板３１を回動させることにより、器具本体２０および透光パネル２５の方向を変えることなく、ＬＥＤ３０の照射角度を調整できる。【選択図】図２
2011175784.tif 000002
【特許請求の範囲】
【請求項１】
一端面が開口面となる箱状の器具本体と、この器具本体の前記開口面に取り付けられた透光パネルと、前記器具本体に収納されるＬＥＤとを備え、
前記ＬＥＤは放熱板の一端面に取り付けられ、前記放熱板は前記透光パネルに対して照射角度を調整可能に有するＬＥＤ照明器具。
【請求項２】
請求項１に記載のＬＥＤ照明器具において、
前記放熱板は、前記器具本体に対して一辺で回動可能に支持するとともに、前記一辺に対向する他辺をネジで固定可能とし、このネジを緩めることで前記ＬＥＤの照射角度を調整可能としたＬＥＤ照明器具。
【発明の詳細な説明】
【技術分野】
【０００１】
本発明は、ＬＥＤを光源として有し、照射方向を調整できるＬＥＤ照明器具に関するものである。
【背景技術】
【０００２】
従来、例えばトンネルや道路等の照明に用いられ、ＬＥＤを光源として有する照明器具で、照射方向を調整できるものがある（例えば特許文献１参照）。
以下、図７により従来のＬＥＤ照明器具について説明する。このＬＥＤ照明器具１００は、一方向に長い矩形の筐体１０１と、この筐体１０１の前面開口部を覆う前面透光パネル１０２を備え、内部に照明ユニット１０３が収納されている。筐体１０１は、下面に設けられている固定金具１０４によって構造物１０５にボルト１０６で固定されている。
【０００３】
照明ユニット１０３は、矩形のケース１０７と、このケース１０７内に配設された複数個の発光ダイオード（ＬＥＤ）１０８とを有する。ケース１０７は、前面が開放する箱型に形成され、筐体１０１内に立設した一対のブラケット１０９に支軸１１０によって前後方向に回動可能に軸支されている。
【０００４】
また、一方のブラケット１０９には、ケース１０７の回動中心である支軸１１０より下方に、支軸１１０を中心とする円弧状に形成された長孔１１１が設けられている。また、ケース１０７の側面で長孔１１１に対応する位置には、ボルト１１２が設けられており、長孔１１１に対して相対的に移動可能となっている。
従って、照明ユニット１０３は、支軸１１０を中心として上下方向に回動可能であり、かつ、ボルト１１２を締め付けることにより、所望の照射角度で固定可能となっている。
【先行技術文献】
【特許文献】
【０００５】
【特許文献１】特開２００２−２６０４０１号公報（第３図、第４図）
【発明の概要】
【発明が解決しようとする課題】
【０００６】
しかしながら、前述したような従来のＬＥＤ照明器具においては、ケースの回動中心である支軸をボルトで構成し、このボルトを締め付けることにより所望の照射角度に固定しているため、振動等によりボルトが緩んで、照射角度が変わるおそれがある。また、支軸であるボルトを締め付けると、支軸の回転に伴ってケースも回転しやすく、固定時に照射角度がずれやすいという問題があった。
【０００７】
本発明は、従来の問題を解決するためになされたもので、容易かつ確実に所望の照射角度に固定できるＬＥＤ照明器具を提供することを目的とする。
【課題を解決するための手段】
【０００８】
本発明のＬＥＤ照明器具は、一端面が開口面となる箱状の器具本体と、この器具本体の開口面に取り付けられた透光パネルと、器具本体に収納されるＬＥＤとを備え、ＬＥＤは放熱板の一端面に取り付けられ、放熱板は透光パネルに対して照射角度を調整可能に有するものである。
【０００９】
また、本発明のＬＥＤ照明器具は、放熱板は、器具本体に対して一辺で回動可能に支持するとともに、一辺に対向する他辺をネジで固定可能とし、このネジを緩めることでＬＥＤの照射角度を調整可能としたものである。
【発明の効果】
【００１０】
本発明は、器具本体の開口面に取り付けられた透光パネルに対して放熱板を角度調整可能に取り付け、この放熱板にＬＥＤを取り付けたので、放熱板を回動させることにより、器具本体および透光パネルの方向を変えることなく、ＬＥＤの照射角度を調整できる。
【図面の簡単な説明】
【００１１】
【図１】本発明に係る第１実施形態のＬＥＤ照明器具であり、（Ａ）はトンネルに取り付けた施工例を示す説明図、（Ｂ）は（Ａ）中Ｂ部分の拡大断面図
【図２】ＬＥＤ照明器具の斜視図
【図３】（Ａ）はＬＥＤ照明器具の正面図、（Ｂ）は（Ａ）中Ｂ−Ｂ位置の断面図
【図４】ＬＥＤ照明器具の断面図であり、（Ａ）は正面に照射する場合、（Ｂ）は照射角度を調整した場合
【図５】（Ａ）は放熱板の角度調整を行った状態を示す斜視図、（Ｂ）は（Ａ）中Ｂ部分の拡大図
【図６】本発明に係る第２実施形態のＬＥＤ照明器具であり、（Ａ）はトンネルに取り付けた施工例を示す説明図、（Ｂ）はＬＥＤ照明器具の拡大断面図
【図７】（Ａ）は従来のＬＥＤ照明器具の正面図、（Ｂ）は（Ａ）中Ｂ方向から見た側面図
【発明を実施するための形態】
【００１２】
（第１実施形態）
以下、本発明の第１実施形態のＬＥＤ照明器具について、図面を用いて説明する。
図１に示すように、本発明に係る第１実施形態のＬＥＤ照明器具１０は、トンネル１１の内壁面１１ａに取り付けて、角度を調整することにより、路面１２の所望のエリアを照明するのに使用できる。
【００１３】
図１乃至図３に示すように、ＬＥＤ照明器具１０は、一面が開口（開口面２１）した扁平な矩形箱状の器具本体２０を有し、器具本体２０の底板２２の内面２２ａには電源供給装置等の電子・電気部品２７が取り付けられており、器具本体２０の底板２２の外面には幅方向（図３において上下方向）外側へ突出する長さの取付板２３が、器具本体２０の長手方向両端部付近にネジ２３ａで取り付けられている。取付板２３は、例えばトンネル１１の内壁面１１ａにアンカーされたボルト２４にナット２４ａを締結して取り付けることができる。なお、取付板２３は、図１（Ｂ）に示すように、トンネル１１の内壁面１１ａ等の形状に合わせて、適宜屈曲等して形成することができる。
【００１４】
器具本体２０の開口面２１には、透光性を有する透光パネル２５が開閉可能に取り付けられている。すなわち、器具本体２０の開口面２１には、一辺（取付時には上辺）に一対の蝶番２５ａ、２５ａが取り付けられており、この蝶番２５ａに透光パネル２５が取り付けられる。また、蝶番２５ａが設けられている一辺に対向する他辺（取付時には下辺）には、透光パネル２５を閉じた状態で固定する一対の留め具２６、２６が取り付けられている。
従って、留め具２６を解放することにより、透光パネル２５は蝶番２５ａを中心として開閉可能となる。
【００１５】
図４にも示すように、器具本体２０の内部には、複数のＬＥＤ３０が取り付けられた放熱板を兼ねたＬＥＤ固定板３１が回動可能に収容されている。器具本体２０の底板２２の内面２２ａには、蝶番２５ａが取り付けられている側の端部に沿って一対の固定板支持具３２，３２が設けられており、固定板支持具３２の上端には、ピン３２ａを介してＬＥＤ固定板３１の一辺（取付時には上辺）が回動可能に支持される。
【００１６】
一方、器具本体２０の底板２２の内面２２ａの、留め具２６が取り付けられている側の端部に沿って一対の固定板固定具３３、３３が設けられている。固定板固定具３３は、固定板支持具３２よりも低くなっており、上端部には固定ネジ３３ａが取り付けられている。
【００１７】
ＬＥＤ固定板３１の下側には、三角形状をした補強板を兼ねた一対の角度調整板３４、３４が設けられている。一対の角度調整板３４、３４は、一対の固定板支持具３２、３２の間隔、すなわち一対の固定板固定具３３、３３の間隔で設けられている。角度調整板３４は、固定板支持具３２側端部の高さが低く、固定板固定具３３側端部の高さが高くなっている。角度調整板３４の固定板固定具３３側の端部には、固定板支持具３２のピン３２ａを中心とした円弧状の切欠き３４ａが設けられており、この切欠き３４ａに沿って目盛り３４ｂが設けられている。なお、角度調整板３４は、ＬＥＤ固定板３１の端部を折り曲げて形成することもできるし、別部材を接合して形成することもできる。
【００１８】
従って、固定ネジ３３ａが切欠き３４ａに沿って相対的に移動することにより、角度調整板３４はピン３２ａを中心として回動可能となる。例えば、図４（Ａ）に示すように、ＬＥＤ固定板３１を器具本体２０の底板２２に平行とした状態で、固定ネジ３３ａが切欠き３４ａの下端部に当接するようにし、切欠き３４ａの長さを照射方向の調整可能角度に対応した弧長に設定する。
【００１９】
次に、照射角度の調整について説明する。
トンネル１１の内壁面１１ａ等に取り付けた後に照射角度の調整を行うには、まず、留め具２６を外して、透光パネル２５を蝶番２５ａを回動中心として開ける。次に、角度調整板３４を固定している固定ネジ３３ａを緩め、ピン３２ａを中心としてＬＥＤ固定板３１を回動させて、照射方向を所望の方向となるように調整する。
【００２０】
このとき、固定ネジ３３ａが、角度調整板３４に設けられている切欠き３４ａに沿って相対的に移動するので、固定ネジ３３ａを目盛り３４ｂの所定位置に合わせることにより、所望の照射角度を得ることができる（図５参照）。なお、ＬＥＤ固定板３１の回動により移動する側（すなわち、回動中心であるピン３２ａと反対側）が、透光パネル２５を開くことにより移動する側（すなわち、回動中心である蝶番２５ａと反対側）と同じにすることにより、作業空間を確保でき作業性が向上する。
角度調整が完了したら、固定ネジ３３ａを締め付けて、角度調整板３４を固定板固定具３３に固定する。その後、透光パネル２５を閉じて、留め具２６で透光パネル２５を固定する。
【００２１】
以上、説明した本発明の第１実施形態のＬＥＤ照明器具１０によれば、器具本体２０の開口面２１に取り付けられた透光パネル２５に対してＬＥＤ固定板３１を角度調整可能に取り付け、このＬＥＤ固定板３１にＬＥＤ３０を取り付けたので、ＬＥＤ固定板３１を回動させることにより、器具本体２０および透光パネル２５の方向を変えることなく、ＬＥＤ３０の照射角度を調整できる。
【００２２】
また、ＬＥＤ固定板３１は、器具本体２０に対して一辺を中心として回動可能に支持され、一辺に対向する他辺を固定ネジ３３ａで固定可能としたので、固定ネジ３３ａを緩めることでＬＥＤ３０の照射角度が調整可能となり、固定ネジ３３ａを締めることにより固定できる。また、固定ネジ３３ａはＬＥＤ固定板３１の回動中心であるピン３２ａから遠い他辺に取り付けられているので、固定ネジ３３ａを締め付ける際に回動中心を回転させない。このため、ＬＥＤ固定板３１を回動させることなく固定ネジ３３ａを操作でき、照射角度を正確に所望の角度に設定することができる。
【００２３】
（第２実施形態）
次に、本発明に係る第２実施形態のＬＥＤ照明器具を図６に示す。なお、前述した第１実施形態にかかるＬＥＤ照明器具１０と共通する部位には同じ符号を付して、重複する説明を省略することとする。
図６に示すように、第２実施形態のＬＥＤ照明器具１０Ｂは、トンネル１１の内壁面１１ａに既設されている例えばケーブルラック１３に取り付けたものである。
このようにすることにより、前述した第１実施形態のＬＥＤ照明器具１０と同様の作用・効果を得ることができるとともに、既設の設備を用いることにより、取付作業性が向上する。なお、図６（Ｂ）においては、ＬＥＤ固定板３１の回動移動する側を、器具本体２０の蝶番２５ａの側に配置した場合を示した。ＬＥＤ照明器具１０Ｂを水平に取り付けた場合のように、透光パネル２５が十分に回動して、作業空間が確保できる場合には、図６に示した向きにもＬＥＤ固定板３１の回動方向を設定できる。
【００２４】
なお、本発明のＬＥＤ照明器具は、前述した各実施形態に限定されるものでなく、適宜な変形，改良等が可能である。
【符号の説明】
【００２５】
１０  ＬＥＤ照明器具
２０  器具本体
２１  開口面
２５  透光パネル
３０  ＬＥＤ
３３ａ  固定ネジ（ネジ）
【図１】
2011175784.tif 000003
【図２】
2011175784.tif 000004
【図３】
2011175784.tif 000005
【図４】
2011175784.tif 000006
【図５】
2011175784.tif 000007
【図６】
2011175784.tif 000008
【図７】
2011175784.tif 000009